(57)【特許請求の範囲】
【請求項１】
金属溶融物を加工するためのダイカストマシンであって、
機械架台（１）及びその上に配置された鋳込みノズル（１２）と、
前記鋳込みノズルに対して整合可能な型閉鎖ユニット（５）とを有し、
前記型閉鎖ユニット（５）は、クロスヘッド（６）と、固定のダイプレート（１１）と、ガイド支柱（１０）上に軸承され、前記固定のダイプレートに対して押圧可能な可動のダイプレート（９）と、からなり、かつ、
前記型閉鎖ユニット（５）は、機械架台（１）に支持された斜めのガイド面（４）上に取り付けられていて、高さが調節可能にされている、ダイカストマシンにおいて、
ガイド面（４）が、機械架台（１）上に垂直ガイド（３）にそって垂直に移動できるように保持されているリフトフレーム（２）の一部であることを特徴とするダイカストマシン。
【請求項２】
リフトフレームは、同方向に揺動可能な、平行四辺形の形式で配置された少なくとも２対のレバー（１３、１４）を介して高さ調節可能であることを特徴とする請求項１に記載のダイカストマシン。
【請求項３】
レバーの対（１３、１４）は、共通の駆動装置（１７、１８）によって変位可能であることを特徴とする請求項２に記載のダイカストマシン。
【請求項４】
レバーの対（１３、１４）に対する結合（１７）が設けられており、該結合（１７）は、結合の方向に作用する駆動装置（１８）を有する、ことを特徴とする請求項３に記載のダイカストマシン。
【請求項５】
レバーの対（１３、１４）は、それぞれニーレバーの対（１３、１４；１３ａ、１４ａ）になるようにリンク結合された２つのレバー配置として形成されており、その内の一方のレバー（１３、１４）は揺動可能にリフトフレーム（２）に、そして他方のレバー（１３ａ、１４ａ）は揺動可能に機械架台（１）に軸承されており、かつ共通の駆動装置（１７）は２つのレバー配置（１３、１３ａ、１４、１４ａ）のそれぞれの結合リンク（１５）に作用を及ぼす、ことを特徴とする請求項２に記載のダイカストマシン。
【請求項６】
共通の駆動装置として、歯付きロッドが設けられていることを特徴とする請求項３または５に記載のダイカストマシン。
【請求項７】
共通の駆動装置として、送りロッド（１７）が設けられていることを特徴とする請求項３または５に記載のダイカストマシン。
【請求項８】
駆動装置として、トランスミッション（１９）を備えた電動機（１８）が設けられていることを特徴とする請求項６または７に記載のダイカストマシン。
【請求項９】
垂直ガイドは、ボルト（３）またはレールとして形成されており、それらがリフトフレーム（２）に、あるいは機械架台（１）に固定配置されており、かつ機械架台ないしリフトフレームのガイド内へ嵌入することを特徴とする請求項１に記載のダイカストマシン。
【発明の詳細な説明】
【０００１】
【発明の属する技術分野】
本発明は、鋳込みノズルを備えた機械架台とその鋳込みノズルに整合可能な型閉鎖ユニットとを有し、その型閉鎖ユニットはクロスヘッドおよび固定のダイプレートとガイド支柱上に軸承されて、この固定のダイプレートに対して押圧可能な可動のダイプレートからなり、機械スタンド上に支持された斜めのガイド面上に高さ調節可能に軸承されている、金属溶融物を加工するためのダイカストマシンに関する。
【０００２】
【従来の技術】
この種のダイカストマシンは、ＤＥ３０１８２８８Ａ１から知られている。そこでは、型閉鎖ユニットは水平に対して斜めに傾斜されたガイドレール上に軸承されている。それぞれ使用すべき型に従って、型には種々の注ぎ始め位置が設けられているので、閉鎖部分の高さを調節することが必要である。鋳込みノズルは、ホットチャンバダイカストマシンにおいては、公知のように、鋳造容器が常に溶融物内に留まるために所定の位置にあるので、型の注ぎ始め部分をこの鋳造ノズルに適合させなければならない。
【０００３】
その場合に高さ調節するために、既知のホットチャンバダイカストマシンにおいては、二股機構を形成する、互いに対して交差して軸承されたレバーが設けられており、その二股機構は閉鎖ニットの下方でクロスヘッドと可動のダイプレートの下側に作用し、かつ駆動装置を介して互いに離れるように開脚可能である。この種の構成は、閉鎖ユニットの下方に比較的多くのスペースを必要とする。型閉鎖部分位置とそれによってもたらされる負荷分布に従って、この種の構造においては正確な同期も、必ずしも常に保証されない。
【０００４】
ＤＥ３４２３０５６Ｃ２からは、ホットチャンバダイカストマシンの型閉鎖ユニットのための高さ調節装置が知られており、同装置においてはクロスヘッドにプレスシリンダが対応づけられ、固定のダイプレートには第２のプレスシリンダ装置が設けられており、２つのプレスシリンダはそれぞれ機械架台に支持されている。２つの圧力シリンダ装置に共通に圧力手段を供給することによって、同様に型閉鎖ユニットも高さを調節される。この構造は、もちろん比較的複雑である。というのは、圧力手段循環を適当な切換え弁を介して正確に制御しなければならないからである。
【０００５】
【発明が解決しようとする課題】
従って本発明の課題は、冒頭で挙げた種類のホットチャンバダイカストマシンを、機械的な部材のみによって達成できる簡単な高さ調節が可能であって、簡単かつスペースをとらないように構成されるように、形成することである。
【０００６】
【課題を解決するための手段】
この課題を解決するために、冒頭で挙げた種類のダイカストマシンにおいて、そこに設けられている斜めのガイド面が、機械架台に垂直に移動可能に軸承されているリフトフレームの一部であることが、提案される。この構成は、簡単な方法で、リフトフレーム全体を平行かつ垂直に移動させることを可能にし、それは本発明の展開において特に簡単な方法で、リフトフレームが、同方向に揺動可能な、平行四辺形の形式で配置された少なくとも２対のレバーを介して高さ調節可能であることによって、可能となる。すなわち、リフトフレームに対して、ほぼそのリフトフレーム両端部の領域にそれぞれ１対のレバーが設けられているので、レバーの対のための共通の駆動装置が設けられる場合には、リフトフレームを正確に平行に上昇させることが可能である。
【０００７】
その場合に本発明の展開においては、極めて簡単な方法で、共通の駆動装置として、結合の方向に作用する駆動装置を有する、レバーの対の間の機械的な結合を設けることができる。簡単な構成においては、レバーの対をそれぞれ、ニーレバーの対になるようにリンク結合された２つのレバー配置として形成することができ、そのうちの一方のレバーは揺動可能にリフトフレームに、他方のレバーは機械架台に軸承されている。その場合に共通の駆動装置は、両方のレバーの結合リンクにおいて作用する。共通の駆動装置として、簡単な方法で、結合ロッドまたは歯付きロッドを設けることができ、その場合に駆動装置としてたとえばトランスミッションを有する電動機を使用することができる。もちろん、駆動装置として油圧モータ、油圧シリンダまたは空気式の蛇腹シリンダを設けることもできる。
【０００８】
手動クランク、リニアモータまたは偏心クランク駆動装置あるいはいわゆる空気式マッスルも、駆動装置として設けることができる。すべての場合に、機械的な部材、すなわち、例えば、送りロッドは、駆動装置によって移動され、その送りロッドが２つのニーレバーを共通に操作するので、リフトフレームとそれに伴って型閉鎖ユニットの上昇の正確な同期が保証されている。複雑な制御は、不要である。このレバー駆動装置はリフトフレーム内に一体化することができるので、別のリフト装置を配置するための付加的なスペースも必要とされない。
【０００９】
この機械的に作用する垂直の上昇運動の前提は、リフトフレームのための垂直ガイドであって、それはたとえば機械架台に固定の垂直に延びるボルトまたはレールとして形成することができ、それがリフトフレームのガイド内へ嵌入し、あるいはその逆が行われる。ガイドボルトまたはレールは、リフトフレームから突出し、機械架台の対応する垂直ガイド内で案内される。
【００１０】
【発明の実施の形態】
本発明を、実施例を用いて図面に示し、以下で説明する。
【００１１】
その場合に唯一の図は、機械架台１を有するホットチャンバダイカストマシンを示しており、その機械架台上にリフトフレーム２が、機械架台１から垂直に突出するガイドボルト３がリフトフレームの長手ガイド内へ嵌入することによって、垂直に調節可能に配置されている。もちろん垂直ガイドは、ボルトがリフトフレーム２から突出して機械架台のガイド内へ突出する限りにおいて、逆に考えることもできる。リフトフレームは、水平に対して約５°の角度で傾斜しているので、リフトフレームは同様に水平に対して斜めに延びる上方のガイド面４を有している。このガイド面４上に閉鎖ユニット５が設けられており、その閉鎖ユニットはクロスヘッド６、このクロスヘッドに対応づけられた、ニーレバー機構８のための駆動シリンダ７およびこのニーレバー機構と結合されている可動のダイプレート９から構成されている。
【００１２】
可動のダイプレート９は、ガイド支柱１０に摺動可能に軸承されており、かつ固定のダイプレート１１と協働し、この固定のダイプレートは図示の位置においてはロック装置に向かって移動されており、従って一点鎖線で示す鋳込みノズル１２に対して所定の位置に保持されている。鋳込みノズル１２は、詳しく図示されていない方法で鋳込み容器と接続されており、その鋳込み容器は移動可能なるつぼの内部に液状で保持されている金属溶融物内へ沈み込む。この鋳込み容器には鋳込みピストン装置が搭載されており、その鋳込みピストン装置を介して溶融物が鋳込みノズル１２へ、そしてそれに伴って固定のダイプレート１１と可動のダイプレート９との間に保持された、本実施例においては図示されていない型内へ圧入される。
【００１３】
図が示すように、リフトフレーム２はその両端部の領域にそれぞれレバー１３と１４を有しており、それらレバーはそれぞれ結合リンク機構１５を介して、同じ長さに形成された第２のレバー１３ａないし１４ａとリンク結合されている。その場合にレバー１３と１４は、平行四辺形クランク伝導機構を形成し、かつリフトフレーム２において揺動可能であって、レバー１３ａと１４ａはそれぞれリンク点１６において揺動可能に機械架台１に軸承されている。従ってレバー１３、１３ａ、１４および１４ａは、ニーレバーの形式を形成している。２つのリンク結合１５は、同様にスピンドルリフト伝導機構の送りロッド１７と結合されており、その場合に送りロッド１７の長手駆動は電動機１８とトランスミッション１９とを介して行われ、そのトランスミッションは電動機１８の回転運動をたとえば歯付きロッドを介して、送りロッド１７の長手運動に変換する。その場合に送りロッド１７は、クラッチカップリング２０によってトランスミッションの従動部分２１と結合されている。
【００１４】
容易に明らかなように、送りロッド１７が矢印２２の方向へ移動することによって、リフトフレーム２の上昇または下降が行われ、そのリフトフレームはそのガイド３によってさらに垂直の自由度のみを有している。リフトフレーム２は、正確に垂直に持ち上げられる。固定のダイプレート１１と可動のダイプレート９との間に保持されている型を鋳込みノズル１２に適合させることは、それによって簡単な方法で可能となる。
【００１５】
図が示すように、リフト駆動装置、たとえばレバー１３、１４、１３ａ、１４ａの配置は、リフトフレーム２がそれに応じた中空室を有している場合には、そのリフトフレーム内に一体化もできる。それによってリフト駆動装置の保護された仕様と極めて場所をとらない構成がもたらされる。
【図面の簡単な説明】
【図１】本発明のホットチャンバダイカストマシンの構造を示す図である。
【符号の説明】
１…機械架台
２…リフトフレーム
４…ガイド面
５…型閉鎖ユニット
６…クロスヘッド
１０…ガイド支柱
１１…ダイプレート
１２…鋳込みノズル
１３、１４…レバー
１５…結合リンク
１７…送りロッド
１８…電動機
１９…トランスミッション
２０…クラッチカップリング
【図１】
0004230722.tif 000002